(57)【要約】  本発明は、アルカリ水を製造するための還元容器に関する。還元容器は、飲用水カップ（１１１）、前記カップを開口可能に結合する蓋体（１２１）、前記カップ内に配置される還元材容器（１３１）、及び還元材容器の保持機構（１４１）を含む。本発明の還元材容器はさらに擬似の鳥の鳴き声を発生する機構を備えていてもよい。擬似の鳥の鳴き声の機構は、ボトルネックに備えられる遮蔽板（１５５）と、そこに貫通して形成される排水口（１５６）、そこに貫通して形成される吸気口（１５７）、さらに、水が排出され擬似鳥の鳴き声が生じる時に空気流を加速する手段を備える。
2008505749.tif 000002
【特許請求の範囲】
【請求項１】
飲用水及びアルカリ還元材を投入してアルカリ水を製造するための還元容器であって、
飲用水カップと、
該カップの入口を開閉する蓋体と、
該カップ内に収容され、該カップの内部にアルカリ還元材を保持し、還元材が飲用水に接触するように設けられる還元材容器と、
還元材容器を前記カップ内に保持するための保持機構と、を備えることを特徴とするアルカリ水の還元容器。
【請求項２】
還元材容器の保持機構は、前記カップの内面のテーパを含んでいることを特徴とする請求項１に記載のアルカリ水の還元容器。
【請求項３】
蓋体は、前記カップに組み付けられて液密を形成することを特徴とする請求項１に記載のアルカリ水の還元容器。
【請求項４】
飲用水カップはボトルネック（bottleneck）を有するびん型の容器であって、
該ボトルネック内に設けられる遮蔽板と、
該遮蔽板の一端部に設けられて水流の自由落下を許容する排水口と、
該遮蔽板の他端部に設けられて水が排水されて容器内に生じる負圧により外気を吸気しつつ振動する吸気口と、
吸気の流れ加速手段と、を備え、
水を注ぐときに擬似の鳥の鳴き声を発声するようになっていることを特徴とする請求項１に記載のアルカリ水の還元容器。
【請求項５】
前記吸気の流れ加速手段は、
水流の自由落下を許容する大きさの排水口と、
排水の流速よりも高速にて吸気可能に設けられた吸気口と、を備えることを特徴とする請求項４に記載のアルカリ水の還元容器。
【請求項６】
前記吸気の流れ加速手段は、吸気の流れを上向きにする流路を備えることを特徴とする請求項５に記載のアルカリ水の還元容器。
【発明の詳細な説明】
【技術分野】
【０００１】
本発明は、飲用水をアルカリ水に還元するためのアルカリ水の還元容器に関する。さらに詳細には、鉱物還元材を収容して飲用水をアルカリ水に還元する容器であって、カップ状の容器であり、鳥の鳴き声の発声装置を備えるアルカリ水の還元容器に関する。
【背景技術】
【０００２】
アルカリ水としては、水を電気分解することにより得られるアルカリイオン水と、鉱物還元材による化学的な処理により得られるアルカリ還元水（Reduced Alkaline Water；ＲＡＷ）とが用いられている。アルカリ還元水を得るための鉱物還元材としては、マグネシウム、粒状カルシウム、粒状の金雲母（phlogopite）、粒状のシルバー、粒状のトルマリン、ヤシ殻活性炭、粒状の粘度（clay）などが用いられる。このような粒状の鉱物は、約５ｍｍの粒径に焼成するか、または、球状の粒子に成形していた。
【０００３】
人体の健康に活発な反応を引き起こすとされるアルカリ水は、ｐＨ９以上である。還元材と反応して得られるアルカリ還元水は、水の性質が純化されて六角水の特性を示す。アルカリ還元水の効能としては、人体を外乱から保護して安定化させることや、血液の酸性化による身体的不都合や、活性酸素に起因する種々の症状を好転させることが知られている。具体的に、アルカリ水は、水中の活性酸素種（reactive oxygen species；ＲＯＳ）を消去して身体の消化器系を丈夫にし、末期腎臓患者（end-stage renal disease；ＥＳＲＤ）の血液透析を行う過程での酸化ストレスを低減させ、生体内で細胞の酸化原因となるフリーラジカルを消去してＤＮＡを保護し、抗癌効果もあり、糖尿病の予防、およびアトピー性皮膚疾患を好転させ、かつ、体質改善および成長促進にも有効な反応を示すと報告されている。
【０００４】
大韓民国実用新案第２０−０３３０８２４号公報には、流入原水をフィルターで浄水した後、電解水を生成させる電気式のアルカリ水の生成装置が記載されている。大韓民国実用新案登録第２０−０３４８７３９号公報には、マグネシウムを主体として用いたアルカリ還元水の発生装置が記載されている。この装置は、流入管及び排出管を備えた本体内にイオンカートリッジを交替可能に挿入し、流入管に供給された生水をマグネシウムにより還元し、アルカリ還元水が外部に排出されるようになっている。大韓民国実用新案登録第２０−０３４２１７８号公報には、水用ボトルが提案されている。このボトルは、分離された上部と下部を螺合可能に製作されている。該上部に、麦飯石が収納され、水が容器内に供給された後、容器を逆さまに立てると、水が浄化される。水は麦飯石に接触してから排出される。大韓民国実用新案登録第２０−０３３３９８９号公報には、ボトル内の上部に麦飯石が充填された網状のチューブを直径方向に設け、この状態でチューブ内の麦飯石からミネラルが湧き出るミネラルウォーターのボトルが記載されている。大韓民国実用新案登録第２０−０３３２５８８号公報には、ボトルの下部を螺号可能に分割し、該下部に麦飯石を入れた網状の容器を内装し、ボトルに水を入れておくことにより、麦飯石が水を活性化させるボトルが記載されている。大韓民国実用新案登録第２０−０２６６６８号公報には、浄水製造容器が提案されている。この容器は、入口の内周面に保持キャップを有し、保持キャップの底面の周縁に複数の穴が形成されたパイプが設けられており、さらに、濾過布でくるまれた精製された黄土粉、麦飯石粉、木炭粉などの浄水ろ過材が、該パイプ内に入れられている。大韓民国公開特許第１０−２００４−００１５６９５号公報には、飲料水容器が提案されている。この容器は、水、ジュースまたは機能性飲料を入れる所定の体積を有する容器の上端に開閉可能な蓋体を有し、容器の下端に結合された底部キャップと、底部キャップに収納される飲み物の浄化材と、第１キャップ及び第２キャップと、フィルターとを備える。しかし、上述の装置は、電気を用いるアルカリ水の生成装置、飲用水の管路に設けるアルカリ水の生成装置、ミネラルウォーターのボトルに適用される麦飯石ミネラル飲用水の生成装置、容器の下部が螺合可能に分割され麦飯石を収容した飲用水容器、容器の内部にパイプが設けられた飲用水容器のうち何れか１種である。このような飲用水の容器は、携帯用の飲用水の容器またはカップとして用いることができない。
【０００５】
一方、森の中の鳥の鳴き声は、くつろぎや平和を感じさせる。鳥の鳴き声は、森の中だけでなく、都市においても綺麗な自然を思い出させる。次第に都市化が進んでおり、森が縮小して行くにつれて、次第に周りから鳥の鳴き声が消えて行っている。工業化の過程において大気、河川や地下水が汚染されている。食卓では加工食品があふれており、それにより個人の体質が酸性化している。工業区域の拡大は、人間の情緒や健康を荒廃化させる文明の退行を伴うことになる。このような生活環境の変化は、個人の生活パターンや価値観を変化させている。人々は地下水から、商品化された水を飲むようになった。そして体質の酸性化を防ぐために、飲用水をアルカリ水に還元して飲むようになっている。
【０００６】
このような必要性に応じて、本発明の優先権主張の基礎とした出願である大韓民国実用新案出願第２０−２００４−００１９１４１号には、アルカリ水の還元容器が提案されている。アルカリ水の還元容器は、飲用水カップと、カップの入口を開閉する液密蓋体と、カップの底部に保持させた還元材容器と、から構成されており、カップにマグネシウム還元材および水を入れると、「Ｍｇ＋２Ｈ２Ｏ→Ｍｇ（ＯＨ）２＋Ｈ２（＝２Ｈ＋２ｅ−）↑→Ｍｇ２＋＋２ＯＨ−＋Ｈ２↑」の反応により容器内において水素の気泡が発生して、カップ内の水を六角水の特性を有するアルカリ水に還元する。このようなアルカリ水は、身体の健康づくりに役立つ。さらに、アルカリ水の還元容器に鳥の鳴き声の発声装置を取り付けることにより、自然を感じさせかつ、アルカリ水の還元容器をさらに楽しく使用できる。
【発明の開示】
【発明が解決しようとする課題】
【０００７】
本発明の目的は、ボトルのように飲用水を入れて携帯することができるアルカリ水の還元容器を提供することである。本発明の他の目的は、水用ボトルからの水を飲用アルカリ水にするための還元容器を提供することである。また、本発明のさらに他の目的は、飲用水を貯蔵状態でアルカリ水に還元させる還元容器を提供することである。さらにまた本発明の他の目的は、構成が簡潔であり、かつ清潔さを維持することができるアルカリ水の還元容器を提供することである。
また本発明の目的は、水を注ぐときや、水を飲むとき、水用ボトルが鳥の鳴き声を出す鳥の鳴き声発声装置を提供することである。他の目的は、駆動電流や電気的音声機構を使用することなく、単に水用ボトル内の水と外気とが交換されることによって鳥の鳴き声を出す、水用ボトルの鳥の鳴き声発声装置を提供することである。さらに他の目的は、吸気振動音と気泡破裂振動音とを繰り返して発生させることにより擬似の鳥の鳴き声を発声する鳥の鳴き声発声装置を提供することである。また他の目的は、構成が簡潔であり、清潔さを維持できる水用ボトルの鳥の鳴き声発声装置を提供することである。
本発明において、ボトル容器とは、使い捨ての水用ボトル、リサイクル水用ボトル、携帯用の水用ボトル及びカップタイプの水用ボトルを含む。
【発明の効果】
【０００８】
本発明のアルカリ水製造用還元容器は、携帯可能で、ボトルのように飲用水を入れて携帯することができる。また、水用ボトルからの水を飲用アルカリ水にするための還元容器であり、飲用水を貯蔵状態でアルカリ水に還元させることができ、構成が簡潔であり、かつ清潔さを維持することができる。
さらに、本発明の水用ボトル内には、水を注ぐときや、水を飲むとき、鳥の鳴き声を出す鳥の鳴き声発声装置を有しており、駆動電流や電気的音声機構を使用することなく、単に水用ボトル内の水と外気とが交換されることによって鳥の鳴き声を出すことができる。また、吸気振動音と気泡破裂振動音とを繰り返して発生させることにより擬似の鳥の鳴き声を発声することができ、構成が簡潔であり、清潔さを維持できる水用ボトルの鳥の鳴き声発声装置である。
【発明を実施するための最良の形態】
【０００９】
以下、図面を参照して本発明に係る望ましい実施例を詳細に説明する。
【００１０】
本発明は、容器内に飲用水及びアルカリ還元材を含むアルカリ水製造用容器である。
【００１１】
図１ないし図８において、本発明のアルカリ水の還元容器は、底から上方に向かって広がる形状を有する飲用水カップ１１１と、カップ１１１の入口を開閉する液密蓋体１２１とを有する。還元容器はさらに、カップ１１１の入口を通じてカップ内に収容され、カップ１１１の底部に保持されて鉱物アルカリ還元材１５１を収容する還元材容器１３１を含む。該還元材容器１３１は、還元材１５１と飲用水との接触を許容する。還元容器はさらに、カップ１１１の底部の内面に還元材容器１３１の周面が接触して該還元材容器を保持する機構１４１を有する。
【００１２】
前記還元材容器１３１内には、マグネシウム、カルシウム、粒状の金雲母、粒状のシルバー、粒状のトルマリン、ヤシ殻活性炭および粒状の黄土を含むアルカリ還元用の鉱物還元材１５１が少なくとも一つ充填されている。還元材１５１を充填した還元材容器１３１をカップ１１１内に収容し、前記カップ１１１に水を充填して蓋体１２１で覆蓋する。この状態にしておくと、カップ１１１内の水は徐々にアルカリ水に還元される。マグネシウム還元材を使用したときには、アルカリ水の還元過程の化学反応式は、「Ｍｇ＋２Ｈ２Ｏ→Ｍｇ２＋＋２ＯＨ−＋Ｈ２（＝２Ｈ＋＋２ｅ−）↑」で表わされる。この式中水素が還元材容器１３１内で発生する。水素の気泡は水面上に浮かぶので、ユーザは、その気泡の移動を目視することができる。このまま所定の時間が経過すると、カップ内の水は、六角水の特性を示すアルカリ還元水となって、健康水として飲用することができる。還元されたアルカル水を飲むためには、カップ１１１から蓋体１２１を開けて飲む。または、他の容器に水を注いで飲む。蓋体１２１は、中性からアルカリ状態への水の還元に関与せず、単に飲用水を保護するためのものである。前記還元材１５１は、約１ヶ月〜６ヶ月間使用することができる。カップ１１１は、繰り返し使用により汚れるので、洗浄するときには蓋体１２１をカップ１１１から外して洗浄する。還元材容器１３１もカップ１１１を洗うため、カップ１１１から外す。本発明の飲用水のアルカリ還元容器には液密蓋体１２１が備えられており、ピクニックや外出するときだけでなく、車内においても簡単に携帯することができる。本発明の容器は、出かけるときの移動中であってもアルカリ水の還元が行われ、到着地でアルカリ水を飲むことができる。このように、本発明の容器は、携帯が簡便であり、かつ容器の形状がカップ状を呈しているので、水を飲みやすい。
【００１３】
図１及び図２において、液密蓋体１２１とカップ１１１には、液密構造を形成するためにねじ止め部１２２が設けられている。液密構造の結合部としては、前記ねじ以外にも多様な結合方法を用いることができる。前記液密蓋体１２１は、キャップ１２３により開閉されるボトルネック（bottleneck）１２４を備えている。前記カップ１１１は、蓋体１２１を被せると、ボトルの形状になる。屋外ではカップの使い勝手が悪い場合がある。本発明のキャップ１２３及びボトルネック１２４は、容器を飲料水ボトルのようなものとして使用可能にする。キャップ１２３としては、スクリューキャップが望ましい。
【００１４】
図１ないし図８の実施例において、還元材容器１３１は、２層の網容器である。上部容器１３２は、底部容器１３３の上部と重なり合っている。上部容器１３２の上に蓋体板１３４が置かれている。これらには複数の通水穴１３５が配列されており、蓋体板１３４の底部ラグ１３４ａが上部容器１３２の上部ホール１３２ｂに挿入され、上部容器１３２の底部ラグ１３２ａが底部容器の上部ホールｌ３３ｂに挿入されて組み立てられる。還元材容器１３１の構造は限定されるものではなく、その他にも簡単に組立および分解可能であり、飲用水が通水できる構造であれば、いかなるものであってもよい。
【００１５】
図１ないし図８において、本発明の還元材容器の保持機構１４１は、カップ１１１の内面テーパ１４２と、還元材容器１３１の周面に形成された接触突条部１４３と、から構成される。図４において、還元材１５１を収容するように組み立てられた還元材容器１３１は、カップ１１１に挿入されている。そして、接触突条部１４３がカップ１１１のテーパ１４２に圧力を加えるときに密着されることによりカップ１１１内に保持される。還元材容器１３１は、該容器１３１を上方に向かって引っ張ることによりカップ１１１から外すことができる。
【００１６】
図５ないし図７において、カップ１１１と液密蓋体１２１とは弾性結合部１２６により結合されている。液密蓋体１２１の弾性外壁１２７は、カップ１１１の外周面１１７に密着し、カップ１１１の上端縁１１６が蓋体１２１の内側に形成された環溝１２８に密着することにより水漏れが生じない。この蓋体は、ねじを使用していないものであって、簡潔な構造を有する。図７において、蓋体１２１と密着するカップ１１１の外周面１１７を、カップ１１１の本体と同じ厚さにしてもよい。図８において、還元材容器１３１は、簡単な構造を有する。この容器は、上下部に複数の通水穴１３５が形成されている。還元材１５１が還元材容器内に設けられた単一の還元材シート１３６内に配置されている。図８の還元材容器１３１は、上下に分離できるように製造するか、または、分離できない単一体として製造される。図８の還元材容器１３１の保持機構１４１は、還元材容器１３１の外周面のテーパ１４６とカップ１１１の内周面のテーパｌ４９とから構成される。図８に示すように、保持機構１４１は、カップ１１１の内周面に設けた突起部１４８により還元材容器１３１の不用意な離脱を防止する。前記テーパ１４６、１４９や突起部１４８による還元材容器１３１の脱利防止は、選択的または複合的に使用することができる。本発明において、還元材容器１３１の保持機構は、前記機構の他にも、容器の底部に設ける保持グリップ、容器の内周面及び還元材容器の外周面に設ける保持ねじ、還元材容器の外周面に設けて容器の内周面に密着させる弾性突条など、何れを採用することもできる。
【００１７】
本発明の鳥の鳴き声発声装置は、水を充填する容器に適用される。本発明のカップ１１１及び蓋体１２１が一つのボトル容器を構成する。鳥の鳴き声発声装置は、ボトル容器のボトルネックに設けられる。本発明の鳥の鳴き声発声装置は、図９に示すように、ボトルネックを閉塞する遮蔽板１５５と、遮蔽板１５５の所定の位置に設けられて水を注ぐときに水流の自由落下を許容する排水口１５６と、遮蔽板１５５の所定の位置に設けられて水の排水力により容器内で作られた負圧によって外気を吸気しつつ振動する吸気口１５７とを含んで構成されている。さらに該発声装置は、望ましい鳥の鳴き声の振動周波数で振動されるように吸気の流れを加速させる吸気の流れ加速手段１５４を備えている。前記吸気の流れに擬似の鳥の鳴き声の振動を誘導する吸気の流れ加速手段１５４は、水流の自由落下を許容するサイズを有する排水口１５６と、水の排水流速よりも高速で容器内に吸気可能に設けられた吸気口１５７とから構成される。前記鳥の鳴き声の振動のための吸気の流れ加速手段１５４は、吸気口１５７の直径ｄ１が１．５〜６ｍｍである。さらに前記排水口１５６の面積は吸気口１５７の面積よりも１０〜５０倍大きくする。実施例において、前記吸気口１５７は、４ｍｍ２の面積を有する円形の孔である。排水口１５６は、１．４ｃｍ２の面積を有する楕円に近い形状をしている。前記吸気の流れ加速手段１５４にはさらに吸気の流れの上向き流路１５８が含まれる。実施例において、ボトルネックの直径ｄ２よりもカップ１１１の直径ｄ３の方が大きく、流れ込む空気の進路が上向き流路１５８を形成するように、カップ１１１の蓋体１２１がボトルネック近くに設けられている。この実施例では、カップ１１１を有する容器はさらにボトルネックキャップ１２３及び還元材容器１３１を備えている。蓋体１２１は結合機構１１９によりカップ１１１とが組み付けられている。本発明のカップ１１１の内部空間１００は、鳥の鳴き声の発声時に共振器として働く。以下に、前記のように構成された本発明の容器の鳥の鳴き声発声について説明する。カップ１１１に、カップ容量の７０〜８０％まで水を充填して蓋体１２１を被せる。カップ１１１を傾けることにより、水を排水口１５６へ流れ出させる。このとき、排水口の上側に位置する吸気口１５７に空気が流れ込みつつ鳥の鳴き声が発声される。
【実施例１】
【００１８】
容量６００ｍｌの合成樹脂製の携帯用透明カップを製造した。また、別途７０ｍｌ容量の網状部を有する還元材容器を製造した。還元材容器の外周面はテーパになっており、カップの内周面のテーパと密着し、還元材容器の保持機構として作用する。さらに、還元材としてマグネシウムを還元材容器内に充填した。還元材容器はカップの下方位置にて保持される。カップに５００ｍｌの水（市販の水）が注がれると、気泡の発生が確認された。３０分経過後、カップから水を取ってアルカリ濃度を調べてみた。その結果、ｐＨ １１、ＯＲＰ（酸化還元電位）は、−１００ｍＶ以下に低下していた。
【実施例２】
【００１９】
容量６００ｍｌの合成樹脂製の携帯用透明カップを製造した。また、別途７０ｍｌ容量の網状部を有する還元材容器を製造した。還元材容器の外周面はテーパになっており、カップの内周面のテーパと密着し、還元材容器の保持機構として作用する。さらに、鉱物還元材としてマグネシウム、カルシウム、粒状の金雲母、粒状のシルバー、粒状のトルマリン、ヤシ殻活性炭、及び粒状の黄土を一緒に還元材容器に充填した。その後、還元材容器をカップの下方位置に保持した。次に、カップに５００ｍｌの水（市販の水）が注がれると、気泡の発生が確認された。３０分経過後、カップから水を取ってアルカリ濃度を調べてみた。その結果、ｐＨ１０、ＯＲＰは、−１００ｍＶ以下に低下していた。
【実施例３】
【００２０】
擬似の鳥の鳴き声の発声についての実施例
図面に示す形態にして、７００ｍｌの透明カップ及び蓋体を備えるボトル容器を製造した。容器の蓋体の直径は、７５０ｍｍである。蓋体にボトルネック、遮蔽板、排水口及び吸気口を設けた。遮蔽板の直径は、２２ｍｍである。吸気口の直径は、２ｍｍである。排水口の面積は、１．４ｃｍ２である。次に容器に水５００ｍｌを入れた。容器を約１５°傾けて排水口から排水した。水が排水されつつ、擬似の鳥の鳴き声（ヒバリの声に類似するきれいな声）が発声された。水が完全に排水されるまでに鳥の鳴き声を発声した時間は、約２０秒間であった。擬似の鳥の鳴き声は、１秒当たり５〜６回発声された。擬似の鳥の鳴き声の発声過程を図１２に示す。図１２において、カップ１１１内の水２００が排水口１５６を通って水流２００ｃをなしつつ自由落下した。カップ１１１内の水が排水されつつ容器内における負圧により外気が吸気口１５７を通ってカップ１１１内へ吸気された。吸気される空気は、蓋体１２１の内側の上向き流路１５８に沿って気泡２００ａを形成していた。その後、気泡２００ａが大きくなって浮力が上昇すると、吸気口１５６から離れて水面に移動していた。水面に達した気泡２００ｂは、容器の内部空間１００に接触すると同時に破裂した。前記気泡の発生及び破裂過程が５〜６回／秒の周期にて繰り返されつつ、気泡２００ａの生成過程における吸気振動音と、気泡２００ｂの破裂過程における破裂振動音とが組み合わせられた２音節のきれいな擬似の鳥の鳴き声が周期的に発声された。前記実験から、鳥の鳴き声を出す気泡のサイズは、約３〜４ｃｍ３であり、擬似の鳥の鳴き声は、３０ｍ離れた場所でも聞こえるということが分かった。
【産業上の利用可能性】
【００２１】
上述のように、本発明は、アルカリ水を作ることができる還元飲用水のための容器を提供する。本発明の容器は電気分解しなくても鉱物還元材を使用してアルカリ水を作ることができる。また、本発明は低価格で製造することができ、容器から水が流れ出るときに発声する擬似の鳥の鳴き声によって、使用者が愉快な気持ちで水を飲むことができる。
【図面の簡単な説明】
【００２２】
【図１】図１は、本発明に係る容器の分解斜視図である。
【図２】図２は、図１の容器の断面図である。
【図３】図３は、還元材容器の分解斜視図 である。
【図４】図４は、還元材容器が組み付けられたカップの部分断面図である。
【図５】図５は、本発明に係る容器の他の実施例を示す分解斜視図である。
【図６】図６は、図５の容器の断面図である。
【図７】図７は、図６のカップの蓋体結合部の拡大断面図である。
【図８】図８は、図６のカップと還元材容器との組み合わせ状態を示す断面図である。
【図９】図９は、鳥の鳴き声の発声装置を備える容器の分解斜視図である。
【図１０】図１０は、図９の容器が組み付けられた状態の断面図である。
【図１１】図１１は、図９の容器の発声部の詳細図である。
【図１２】図１２は、図９の容器の発声実施状態を示す図である。
【図１】
2008505749.tif 000003
【図２】
2008505749.tif 000004
【図３】
2008505749.tif 000005
【図４】
2008505749.tif 000006
【図５】
2008505749.tif 000007
【図６】
2008505749.tif 000008
【図７】
2008505749.tif 000009
【図８】
2008505749.tif 000010
【図９】
2008505749.tif 000011
【図１０】
2008505749.tif 000012
【図１１】
2008505749.tif 000013
【図１２】
2008505749.tif 000014
【国際調査報告】
2008505749.tif 000015
2008505749.tif 000016